【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
入力される画像データに応じた画像を表示する画像表示装置であって、
前記画像データを第１の画像データとして記憶する記憶部と、
前記第１の画像データと、当該第１の画像データを記憶した後に入力された画像データである第２の画像データとが、異なるか否かを判定する判定部と、
前記第１の画像データ及び前記第２の画像データの少なくともいずれか一方に基づいて、外部機器用データを生成するデータ生成部と、
前記外部機器用データを外部機器に送信するデータ送信部と、
前記判定部により、前記第１の画像データと前記第２の画像データとが異なると判定されると、前記記憶部に記憶された前記第１の画像データを、前記第２の画像データに基づいて更新する更新部と、
を備えることを特徴とする画像表示装置。
【請求項２】
請求項１に記載の画像表示装置において、
前記データ生成部は、
前記第１の画像データに対する前記第２の画像データの変化領域に係る画像データを第３の画像データとして抽出する抽出部と、
前記第１の画像データ及び前記第２の画像データのうち少なくともいずれか一方における前記変化領域の位置を示す位置情報を取得する位置情報取得部とを備え、
前記外部機器用データには、前記第３の画像データ及び前記位置情報が含まれることを特徴とする画像表示装置。
【請求項３】
請求項１又は請求項２に記載の画像表示装置において、
前記データ生成部は、
前記第１の画像データ及び前記第２の画像データのうち少なくともいずれか一方を所定の圧縮形式で圧縮した圧縮画像データを生成する圧縮部と、
前記所定の圧縮形式を示す圧縮情報を取得する圧縮情報取得部とを備え、
前記外部機器用データには、前記圧縮画像データ及び前記圧縮情報が含まれることを特徴とする画像表示装置。
【請求項４】
請求項１から請求項３のいずれかに記載の画像表示装置において、
前記データ生成部は、
前記外部機器による他の外部機器への前記外部機器用データに応じた画像データの送信を制限する制限情報を取得する制限情報取得部を備え、
前記外部機器用データには、前記制限情報が含まれることを特徴とする画像表示装置。
【請求項５】
入力される画像データに応じた画像を表示する画像表示装置を用いて行われる画像データ送信方法であって、
前記画像データを第１の画像データとして記憶する記憶ステップと、
前記第１の画像データと、当該第１の画像データを記憶した後に入力された画像データである第２の画像データとが、異なるか否かを判定する判定ステップと、
前記第１の画像データ及び前記第２の画像データの少なくともいずれか一方に基づいて、外部機器用データを生成するデータ生成ステップと、
前記外部機器用データを外部機器に送信する送信ステップと、
前記判定ステップにて、前記第１の画像データと前記第２の画像データとが異なると判定されると、前記第１の画像データを、前記第２の画像データに基づいて更新する更新ステップと、
を有することを特徴とする画像データ送信方法。
【請求項６】
請求項５に記載の画像データ送信方法において、
前記データ生成ステップは、
前記第１の画像データに対する前記第２の画像データの変化領域に係る画像データを第３の画像データとして抽出する抽出手順と、
前記第１の画像データ及び前記第２の画像データのうち少なくともいずれか一方における前記変化領域の位置を示す位置情報を取得する位置情報取得手順とを有し、
前記外部機器用データには、前記第３の画像データ及び前記位置情報が含まれることを特徴とする画像データ送信方法。
【請求項７】
請求項５又は請求項６に記載の画像データ送信方法において、
前記データ生成ステップは、
前記第１の画像データ及び前記第２の画像データのうち少なくともいずれか一方を所定の圧縮形式で圧縮して圧縮画像データを生成する圧縮手順と、
前記所定の圧縮形式を示す圧縮情報を取得する圧縮情報取得手順とを有し、
前記外部機器用データには、前記圧縮画像データ及び前記圧縮情報が含まれることを特徴とする画像データ送信方法。
【請求項８】
請求項５から請求項７のいずれかに記載の画像データ送信方法において、
前記データ生成ステップは、
前記外部機器による他の外部機器への前記外部機器用データに応じた画像データの送信を制限する制限情報を取得する制限情報取得手順を有し、
前記外部機器用データには、前記制限情報が含まれることを特徴とする画像データ送信方法。
【手続補正２】
【補正対象書類名】明細書
【補正対象項目名】発明の名称
【補正方法】変更
【補正の内容】
【発明の名称】画像表示装置及び画像データ送信方法
【手続補正３】
【補正対象書類名】明細書
【補正対象項目名】０００１
【補正方法】変更
【補正の内容】
【０００１】
本発明は、入力される画像情報に応じた画像を表示する画像表示装置及び画像データ送信方法に関する。
【手続補正４】
【補正対象書類名】明細書
【補正対象項目名】０００５
【補正方法】変更
【補正の内容】
【０００５】
本発明の目的は、複数の外部機器に画像データを簡易に送信することのできる画像表示装置及び画像データ送信方法を提供することである。
【手続補正５】
【補正対象書類名】明細書
【補正対象項目名】０００６
【補正方法】変更
【補正の内容】
【０００６】
前記した目的を達成するために、本発明の画像表示装置は、入力される画像データに応じた画像を表示する画像表示装置であって、前記画像データを第１の画像データとして記憶する記憶部と、前記第１の画像データと、当該第１の画像データを記憶した後に入力された画像データである第２の画像データとが、異なるか否かを判定する判定部と、前記第１の画像データ及び前記第２の画像データの少なくともいずれか一方に基づいて、外部機器用データを生成するデータ生成部と、前記外部機器用データを外部機器に送信するデータ送信部と、前記判定部により、前記第１の画像データと前記第２の画像データとが異なると判定されると、前記記憶部に記憶された前記第１の画像データを、前記第２の画像データに基づいて更新する更新部と、を備えることを特徴とする。
【手続補正６】
【補正対象書類名】明細書
【補正対象項目名】０００８
【補正方法】変更
【補正の内容】
【０００８】
本発明によれば、判定部が、第１の画像データと第２の画像データとが異なると判定すると、データ生成部が、第２の画像データに基づいて外部機器用データを生成する。この際、データ生成部は、外部機器との通信方式に応じた外部機器用データを生成する。そして、出力部が、通信手段を介して、生成された外部機器用データを外部機器に出力する。これによれば、画像表示装置が、当該画像表示装置が表示する画像に係る画像データを、外部機器用データとして、複数の外部機器（例えば、他の画像表示装置）に簡易に送信することができる。従って、当該外部機器用データを外部機器が受信することにより、当該外部機器が表示手段を備えている場合には、当該外部機器は、画像表示装置が表示する画像と同様の画像を表示することができる。
【手続補正７】
【補正対象書類名】明細書
【補正対象項目名】０００９
【補正方法】変更
【補正の内容】
【０００９】
また、このような外部機器用データの送信は、第１の画像データと第２の画像データとが異なると判定部が判定した場合に行われるので、同じ画像データを含む外部機器用データが頻繁に送信されることを防ぐことができる。従って、送信されるデータのデータ量を削減することができる。
更に、画像表示装置が更新部を備えていることにより、第２の画像データが第１の画像データに置き換わるので、当該第２の画像データの後に入力した第２の画像データとの比較を確実かつ適切に行うことができる。従って、判定部により、送信された外部機器用データの元となる画像データと、新たに入力した画像データとの比較を確実に行うことができ、画像データの変化に伴って、当該画像データに係る外部機器用データの生成及び送信を確実に行うことができる。
【手続補正８】
【補正対象書類名】明細書
【補正対象項目名】００１０
【補正方法】変更
【補正の内容】
【００１０】
本発明では、前記データ生成部は、前記第１の画像データに対する前記第２の画像データの変化領域に係る画像データを第３の画像データとして抽出する抽出部と、前記第１の画像データ及び前記第２の画像データのうち少なくともいずれか一方における前記変化領域の位置を示す位置情報を取得する位置情報取得部とを備え、前記外部機器用データには、前記第３の画像データ及び前記位置情報が含まれることが好ましい。
【手続補正９】
【補正対象書類名】明細書
【補正対象項目名】００１１
【補正方法】変更
【補正の内容】
【００１１】
ここで、位置情報は、第２の画像データにおける変化領域が四角形状である場合に、当該四角形の各頂点の座標を示す情報、或いは、各頂点のうち最も原点に近い座標及び長方形のサイズを示す情報を挙げることができる。更に、位置情報は、変化領域の外周の座標を示す情報とすることもできる。
本発明によれば、第２の画像データの一部が第１の画像データと異なる場合に、第２の画像データの全領域のデータを外部機器用データに含めて送信する場合に比べて、外部機器に送信するデータ量を小さくすることができる。そして、外部機器用データには、変化領域の位置情報が含まれるので、外部機器は、既に受信した画像データにおいて位置情報により示される領域を、新たに入力されたデータ中の画像データに置き換えることで、画像表示装置が表示する画像と同じ画像を表示することができる。従って、送信されるデータのデータ量を一層小さくすることができるほか、変化領域を外部機器に確実に把握させることができる。
【手続補正１０】
【補正対象書類名】明細書
【補正対象項目名】００１２
【補正方法】変更
【補正の内容】
【００１２】
本発明では、前記データ生成部は、前記第１の画像データ及び前記第２の画像データのうち少なくともいずれか一方を所定の圧縮形式で圧縮した圧縮画像データを生成する圧縮部と、前記所定の圧縮形式を示す圧縮情報を取得する圧縮情報取得部とを備え、前記外部機器用データには、前記圧縮画像データ及び前記圧縮情報が含まれることが好ましい。
本発明によれば、圧縮部により画像データを圧縮しない場合に比べ、外部機器用データのデータ量を更に小さくすることができる。また、圧縮形式を示す圧縮情報が外部機器用データに含まれるので、当該外部機器用データを受信した外部機器においても、当該圧縮情報に基づいて、当該画像データを適切に復元することができる。更に、生成部が前述の抽出部を備えている場合には、更なるデータ量の削減を図ることができる。
【手続補正１１】
【補正対象書類名】明細書
【補正対象項目名】００１３
【補正方法】変更
【補正の内容】
【００１３】
本発明では、前記データ生成部は、前記外部機器による他の外部機器への前記外部機器用データに応じた画像データの送信を制限する制限情報を取得する制限情報取得部を備え、前記外部機器用データには、前記制限情報が含まれることが好ましい。
本発明によれば、制限情報を変更することで、画像表示装置から送信された外部機器用データが、外部機器から更に他の外部機器に送信されることを規制することができるので、当該外部機器用データに係る画像データが複製されることを防ぐことができる。
【手続補正１２】
【補正対象書類名】明細書
【補正対象項目名】００１４
【補正方法】変更
【補正の内容】
【００１４】
また、本発明の画像データ送信方法は、入力される画像データに応じた画像を表示する画像表示装置を用いて行われる画像データ送信方法であって、前記画像データを第１の画像データとして記憶する記憶ステップと、前記第１の画像データと、当該第１の画像データを記憶した後に入力された画像データである第２の画像データとが、異なるか否かを判定する判定ステップと、前記第１の画像データ及び前記第２の画像データの少なくともいずれか一方に基づいて、外部機器用データを生成するデータ生成ステップと、前記外部機器用データを外部機器に送信する送信ステップと、前記判定ステップにて、前記第１の画像データと前記第２の画像データとが異なると判定されると、前記第１の画像データを、前記第２の画像データに基づいて更新する更新ステップと、を有することを特徴とする。
本発明では、前記データ生成ステップは、前記第１の画像データに対する前記第２の画像データの変化領域に係る画像データを第３の画像データとして抽出する抽出手順と、前記第１の画像データ及び前記第２の画像データのうち少なくともいずれか一方における前記変化領域の位置を示す位置情報を取得する位置情報取得手順とを有し、前記外部機器用データには、前記第３の画像データ及び前記位置情報が含まれることが好ましい。
また、本発明では、前記データ生成ステップは、前記第１の画像データ及び前記第２の画像データのうち少なくともいずれか一方を所定の圧縮形式で圧縮して圧縮画像データを生成する圧縮手順と、前記所定の圧縮形式を示す圧縮情報を取得する圧縮情報取得手順とを有し、前記外部機器用データには、前記圧縮画像データ及び前記圧縮情報が含まれることが好ましい。
また、本発明では、前記データ生成ステップは、前記外部機器による他の外部機器への前記外部機器用データに応じた画像データの送信を制限する制限情報を取得する制限情報取得手順を有し、前記外部機器用データには、前記制限情報が含まれることが好ましい。
【手続補正１３】
【補正対象書類名】明細書
【補正対象項目名】００１８
【補正方法】変更
【補正の内容】
【００１８】
このようなプロジェクタ２は、図２に示すように、画像処理手段２１、映像メモリ２２、画像形成手段２３、無線通信手段２４、データ送信手段２５及びデータ受信手段２６を備えている。
このうち、映像メモリ２２は、本発明の記憶部に相当し、画像処理手段２１、データ送信手段２５及びデータ受信手段２６により参照可能に構成されたＶＲＡＭ（Video Random Access Memory）等のメモリである。このような映像メモリ２２には、画像データが記憶される。
【手続補正１４】
【補正対象書類名】明細書
【補正対象項目名】００２８
【補正方法】変更
【補正の内容】
【００２８】
外部機器用データ生成部２５３は、前述の外部機器用データを生成する。この外部機器用データ生成部２５３は、制限情報判定部２５４、データ判定部２５５、データ生成部２５６、データ更新部２５７及びデータ出力部２５８を備えている。
このうち、データ判定部２５５は、本発明の判定部に相当し、映像メモリ２２に記憶された画像データを所定のタイミングで参照し、当該画像データに変化が生じたか否かを判定する。具体的に、データ判定部２５５は、映像メモリ２２に記憶されている画像データである記憶済み画像データ（本発明の第１の画像データに相当）と、当該画像データを記憶した後で、かつ、直前に入力された画像データである入力画像データ（本発明の第２の画像データに相当）とが異なるか否かを判定する。このようなタイミングとしては、当該画像データが更新されるタイミングとすることができるほか、当該画像データの表示に係る垂直同期信号に応じたタイミングとすることも可能である。
【手続補正１５】
【補正対象書類名】明細書
【補正対象項目名】００２９
【補正方法】変更
【補正の内容】
【００２９】
データ生成部２５６は、データ判定部２５５により、画像データに変化が生じたと判定された際に、映像メモリ２２に記憶された画像データに基づいて外部機器用データを生成する。このデータ生成部２５６は、位置情報取得部２５６１、データ抽出部２５６２、データ圧縮部２５６３、圧縮情報取得部２５６４、識別情報取得部２５６５、制限情報取得部２５６６及びパケット生成部２５６７を備えている。
【手続補正１６】
【補正対象書類名】明細書
【補正対象項目名】００３０
【補正方法】変更
【補正の内容】
【００３０】
位置情報取得部２５６１は、データ判定部２５５により画像データに変化が生じたと判定された領域の位置情報を取得する。すなわち、位置情報取得部２５６１は、記憶済み画像データと入力画像データとの間で異なる領域（変化領域）の位置情報を取得する。この位置情報取得部２５６１は、本実施形態では、位置情報として、変化領域を矩形としたときの原点に最も近い座標と、当該変化領域のサイズとを取得する。しかしながら、これに限らず、位置情報取得部２５６１は、矩形の変化領域の各頂点の座標を取得するようにしてもよい。
データ抽出部２５６２は、本発明の抽出部に相当し、入力画像データから前述の変化領域に係る画像データ（本発明の第３の画像データに相当）を抽出し、当該画像データをフレームメモリ２５１に記憶させる。
【手続補正１７】
【補正対象書類名】明細書
【補正対象項目名】００３４
【補正方法】変更
【補正の内容】
【００３４】
データ更新部２５７は、本発明の更新部に相当し、映像メモリ２２に記憶されていた記憶済み画像データを入力画像データに置き換えて、当該記憶済み画像データを更新する。
データ出力部２５８は、無線通信手段２４とともに本発明のデータ送信部に相当し、パケット生成部２５６７により生成されたパケット（外部機器用データ）を無線通信手段２４に出力し、当該無線通信手段２４が、当該パケットを外部機器４〜６に送信する。
【手続補正１８】
【補正対象書類名】明細書
【補正対象項目名】００４３
【補正方法】変更
【補正の内容】
【００４３】
次に、パケット生成部２５６７が、圧縮された画像データ（本発明の圧縮画像データに相当）及び各種情報に基づいて外部機器用データ（パケット）を生成し（ステップＳ０９）、データ出力部２５８が、無線通信手段２４を介して、当該データを外部機器４〜６に送信出力する（ステップＳ１０）。
この後、データ更新部２５７が、映像メモリ２２上の入力画像データを記憶済み画像データに置換えて、当該記憶済み画像データを更新する（ステップＳ１１）。
以上により、データ送信処理は終了するが、当該データ送信処理は繰り返し実行されることで、入力画像データに変化が生じるたびに、外部機器用データが各外部機器４〜６に送信される。
【手続補正１９】
【補正対象書類名】明細書
【補正対象項目名】００５５
【補正方法】変更
【補正の内容】
【００５５】
２…プロジェクタ（画像表示装置）、２２…映像メモリ（記憶部）、２４…無線通信手段（データ送信部）、２５５…データ判定部（判定部）、２５６…データ生成部、２５７…データ更新部（更新部）、２５８…データ出力部（データ送信部）、２５６１…位置情報取得部、２５６２…データ抽出部（抽出部）、２５６３…データ圧縮部（圧縮部）、２５６４…圧縮情報取得部、２５６６…制限情報取得部。